(57)【要約】【課題】  子供を支える子供支え部材を清潔に保つことのできる子守帯を提供する。【解決手段】  子守帯１は、子供の背、股および腹を支える子供支え部材１０，１１，１２と、子供支え部材から延びて使用者に装着されるベルト部材３０とを備える。子供支え部材１０は、ベース部材１２と、このベース部材１２上に重なるように配置された上層部材１１と、ベース部材１２と上層部材１１とを分離可能に接続する接続手段１９，２０，２１，２２とを備える。【選択図】      図５
2006102111.tif 000002
【特許請求の範囲】
【請求項１】
使用者が子供を保持するために用いる子守帯であって、
子供の背、股および腹を支える子供支え部材と、
前記子供支え部材から延びて使用者に装着されるベルト部材とを備え、
前記子供支え部材は、ベース部材と、このベース部材上に重なるように配置された上層部材と、前記ベース部材と前記上層部材とを分離可能に接続する接続手段とを備える、子守帯。
【請求項２】
前記ベース部材および前記上層部材は、それぞれ、背当て部と、股当て部と、腹当て部とを有する、請求項１に記載の子守帯。
【請求項３】
前記ベース部材と前記上層部材とは、互いに異なった材質からなる、請求項１または２に記載の子守帯。
【請求項４】
前記ベース部材は通気性を有しており、前記上層部材は保温性を有する、請求項３に記載の子守帯。
【請求項５】
前記ベース部材は皮革であり、前記上層部材はクッション材である、請求項３に記載の子守帯。
【請求項６】
前記上層部材は、互いに材質の異なった第１上層部材と、第２上層部材とを含み、
前記第１上層部材および前記第２上層部材のいずれか一方が、選択的に、前記ベース部材上に配置される、請求項１〜５のいずれかに記載の子守帯。
【請求項７】
前記第１上層部材は、前記第２上層部材よりも良好な通気性を有する材質からなり、
前記第２上層部材は、前記第１上層部材よりも良好な保温性を有する材質からなる、請求項６に記載の子守帯。
【発明の詳細な説明】
【技術分野】
【０００１】
この発明は、子供を保持するための子守帯に関し、特に子供に対して良い感触を与え得る子守帯に関するものである。
【背景技術】
【０００２】
子守帯は、例えば、特開２００３−２９００００号公報（特許文献１）や特開２００４−２３６７３６号公報（特許文献２）に開示されている。
【０００３】
一般的に、子守帯は、子供の背、股および腹を支える子供支え部材と、この子供支え部材から延びて母親等の使用者に装着されるベルト部材とを備える。
【特許文献１】特開２００３−２９００００号公報
【特許文献２】特開２００４−２３６７３６号公報
【発明の開示】
【発明が解決しようとする課題】
【０００４】
子守帯の使用によって子供支え部材が汚れることがある。従来の子守帯では、子供支え部材とベルト部材とが分離不能に連結されているので、子供支え部材の洗濯は容易ではない。
【０００５】
また、例えば夏の暑い日に子守帯を使用する場合、子供支え部材に包まれている子供は、子供支え部材によって閉じ込められた熱気の存在によって、より不快な暑さを感じる。このような熱気による不快感を解消するための方法として、子供支え部材を良好な通気性を有する材質のもので形成することが考えられる。
【０００６】
一方、冬の寒い日に子守帯を使用する場合、子供支え部材に包まれた子供をできるだけ保温しておきたい。このような要望を満たすための方法として、子供支え部材を良好な保温性を有する材質のもので形成することが考えられる。
【０００７】
夏の暑い日の使用を考慮して、子供支え部材を例えば熱を逃がすような材質のもので形成した場合には、冬の寒い日での使用に不適なものとなる。その逆に、冬の寒い日の使用を考慮して、子供支え部材を例えば保温性の良い材質のもので形成した場合には、夏の暑い日での使用に不適なものとなる。
【０００８】
この発明の目的は、子供を支える子供支え部材を清潔に保つことのできる子守帯を提供することである。
【０００９】
この発明の他の目的は、周囲の環境の変化に拘らず、子供に対して良好な感触を与え得る子守帯を提供することである。
【課題を解決するための手段】
【００１０】
この発明は、使用者が子供を保持するために用いる子守帯であって、子供の背、股および腹を支える子供支え部材と、子供支え部材から延びて使用者に装着されるベルト部材とを備える。子供支え部材は、ベース部材と、このベース部材上に重なるように配置された上層部材と、ベース部材と上層部材とを分離可能に接続する接続手段とを備える。
【００１１】
上記のような構成の本発明によれば、子供に接する側に位置する上層部材のみを取り外して洗濯することができるので、子供支え部材を清潔に保つことができる。
【００１２】
一つの実施形態では、ベース部材および上層部材は、それぞれ、背当て部と、股当て部と、腹当て部とを有する。好ましくは、ベース部材と上層部材とは、互いに異なった材質からなる。ベース部材は例えば皮革であり、上層部材は例えばクッション材である。
【００１３】
他の実施形態として、ベース部材を通気性の良い材質で形成し、上層部材を保温性の良い材質で形成するようにしてもよい。このような構成であれば、冬の寒い日には上層部材を取付けて使用し、夏の暑い日には上層部材を取り外して使用することにより、周囲の環境の変化に拘らず子供に対して良好な感触を与え得る。
【００１４】
一つの実施形態では、上層部材は、互いに材質の異なった第１上層部材と、第２上層部材とを含む。この場合、第１上層部材および第２上層部材のいずれか一方が、選択的に、ベース部材上に配置される。好ましくは、第１上層部材は、第２上層部材よりも良好な通気性を有する材質からなり、第２上層部材は、第１上層部材よりも良好な保温性を有する材質からなる。
【発明を実施するための最良の形態】
【００１５】
図１〜図８は、この発明の一実施形態に係る子守帯を示している。まず、子守帯１の正面図を示す図１、背面図を示す図２、使用状態を示す図７および図８を参照して、子守帯１の概略構成を説明する。
【００１６】
図示する子守帯１は、子供を抱っこするためのものであり、子供の背、股および腹を支える子供支え部材１０と、子供支え部材１０から延びて使用者に装着されるベルト部材３０とを備える。図８に示すように、ベルト部材３０は、使用者の背中側でたすきがけされる。
【００１７】
図１、図２、図５および図６に示すように、子供支え部材１０は、ベース部材１２と、このベース部材１２上に重なるように配置された上層部材１１と、ベース部材１２と上層部材１１とを分離可能に接続する接続手段１９，２０，２１，２２とを備える。ベース部材１２は、例えば皮革で作られており、背当て部１２ａと、股当て部１２ｂと、腹当て部１２ｃとを含む。上層部材１１は、例えば良好な通気性およびクッション性を有するクッション材からなり、背当て部１１ａと、股当て部１１ｂと、腹当て部１１ｃとを含む。
【００１８】
ベース部材１２と上層部材１１とを接続する接続手段としてどのような構造のものを採用しても良いが、図示した実施形態では、ベース部材１２の背当て部１２ａおよび腹当て部１２ｃ上にそれぞれ面ファスナ１９，２０を取付け、それに対応して上層部材１１の背当て部１１ａおよび腹当て部１１ｃの背面上に面ファスナ２１，２２を取付けている。
【００１９】
ベルト部材３０は、その一端がベース部材１２の背当て部１２ａに連結された一対の上部ベルト３１，３２と、その一端がベース部材１２の腹当て部１２ｃに連結された一対の下部ベルト３３、３４とを備える。一対の上部ベルト３１，３２の先端には、それぞれ差込具３１ａ，３２ａが取付けられている。一対の下部ベルト３３，３４の先端には、それぞれ、差込具３１ａ，３２ａを受入れる受入具３３ａ，３４ａが取付けられている。図３に示すように、図において右側に位置する上部ベルト３１と左側に位置する下部ベルト３３とが連結され、左側に位置する上部ベルト３２と右側に位置する下部ベルト３４とが連結される。
【００２０】
図５に示すように、ベース部材１２の腹当て部１２ｃには、側方に延びる一対の連結ベルト１３，１４が取付けられている。各連結ベルト１３，１４の先端には、フック１３ａ，１４ａが取付けられている。
【００２１】
図４および図５に示すように、ベース部材１２の背当て部１２ａ上には短いベルトを介して止め輪１５，１６が取付けられている。使用状態においては、前述した一対の連結ベルト１３，１４のフック１３ａ，１４ａは、それぞれ止め輪１５，１６に係合する。止め輪１５，１６およびフック１３ａ，１４ａの凹凸形状を緩和するために、ベース部材１２の背当て部１２ａには、止め輪１５，１６を覆うためのカバー部材１７，１８が取付けられている。
【００２２】
図示した実施形態に係る子守帯１によれば、子供支え部材１０をベース部材１２と上層部材１１とで構成し、上層部材１１を分離可能に設けている。従って、上層部材１１が汚れたときには、上層部材１１のみを取り出して洗濯すればよい。
【００２３】
図示した実施形態では、ベース部材１２を皮革で形成し、上層部材１１をクッション材で形成していたが、他の実施形態として、ベース部材１２を通気性に優れた材質のもので形成し、上層部材１１を保温性に優れた材質のもので形成するようにしてもよい。このような構成であれば、冬の寒い日には上層部材１１を取付けた状態で使用し、夏の暑い日には上層部材１１を取り外した状態で使用すればよい。
【００２４】
さらに他の実施形態として、上層部材１１を複数種類用意しておき、それらの一つを選択的にベース部材に取付けるようにしてもよい。その場合、好ましくは、複数の上層部材は、互いに材質を異ならせておく。例えば、第１上層部材を第２上層部材よりも良好な通気性を有する材質のもので形成し、第２上層部材を第１上層部材よりも良好な保温性を有する材質のもので形成する。このように材質の異なる複数種類の上層部材を用意しておけば、周囲の環境に応じて最適の上層部材を選択的にベース部材上に取り付けることができる。
【００２５】
図示した子守帯１は、対面状態で子供を抱っこするものであったが、他の形式の子守帯に対してもこの発明を適用できるのは言うまでもない。例えば、おんぶ用の子守帯、横抱き用の子守帯等にもこの発明を等しく適用できる。
【００２６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２７】
この発明は、子供を保持するための子守帯に有利に適用され得る。
【図面の簡単な説明】
【００２８】
【図１】この発明の一実施形態に係る子守帯の正面図である。
【図２】子守帯の背面図である。
【図３】子守帯の正面図であり、ベルト部材の連結関係を示している。
【図４】止め輪部分の構造を示す斜視図である。
【図５】上層部材を分離した状態を示す斜視図である。
【図６】上層部材の背面図である。
【図７】子供を抱っこしている状態を前方から見た図である。
【図８】子供を抱っこしている状態を後方から見た図である。
【符号の説明】
【００２９】
１  子守帯、１０  子供支え部材、１１  上層部材、１１ａ  背当て部、１１ｂ  股当て部、１１ｃ  腹当て部、１２  ベース部材、１２ａ  背当て部、１２ｂ  股当て部、１２ｃ  腹当て部、１３  連結ベルト、１３ａ  フック、１４  連結ベルト、１４ａ  フック、１５，１６  止め輪、１７，１８  カバー部材、１９，２０，２１，２２  面ファスナ、３０  ベルト部材、３１  上部ベルト、３１ａ  差込具、３２  上部ベルト、３２ａ  差込具、３３  下部ベルト、３３ａ  受入具、３４  下部ベルト、３４ａ  受入具。
【図１】
2006102111.tif 000003
【図２】
2006102111.tif 000004
【図３】
2006102111.tif 000005
【図４】
2006102111.tif 000006
【図５】
2006102111.tif 000007
【図６】
2006102111.tif 000008
【図７】
2006102111.tif 000009
【図８】
2006102111.tif 000010